(57)【要約】  【課題】  記憶する画像データが表す撮影画像の証拠写真としての信頼性を向上させる画像記憶方法、画像記憶システム及びプログラムを提供する。  【解決手段】  撮影機能及び通信機能を備える携帯電話（情報処理装置）１は、プログラムサーバ装置２から撮影プログラム（プログラム）２０をダウンロードし、ダウンロードした撮影プログラム２０に従って、撮影による画像データを作成し、撮影に係る日時を示す日時情報を作成し、作成した画像データ及び日時情報を所定の画像サーバ装置５へ送信し、撮影プログラム２０に従った撮影の処理を禁止する。画像サーバ装置５は、画像データ及び日時情報を関連付けて記憶する。また携帯電話１は、撮影プログラム２０に従った撮影の処理が禁止されている状態を解除するための解除データを解除サーバ装置４からダウンロードし、撮影プログラム２０に従った撮影の処理を再び可能にする。【選択図】        図１
2006191503.tif 000002
【特許請求の範囲】
【請求項１】
撮影手段及び通信手段を有する情報処理装置の前記撮影手段を用いて画像データを作成し、画像データを記憶することができる画像サーバ装置へ前記情報処理装置の前記通信手段を用いて画像データを送信して、前記画像サーバ装置に画像データを記憶させる画像記憶方法において、
前記情報処理装置は、
所定のプログラムを予め記憶し、
前記プログラムに従って、前記撮影手段で撮影を行って画像データを作成し、
撮影に係る日時を示す日時情報を作成し、
前記プログラムに従って作成した画像データ及び前記日時情報を、前記プログラムに対応した所定の画像サーバ装置へ前記通信手段で送信し、
前記プログラムに従って、所定の条件が満たされた場合に、前記プログラムに従った画像データの作成を禁止し、
前記画像サーバ装置は、前記情報処理装置から受信した前記画像データ及び前記日時情報を互いに関連付けて記憶すること
を特徴とする画像記憶方法。
【請求項２】
前記情報処理装置は、
前記プログラムを記憶していない状態で、前記プログラムの送信要求を前記通信手段で前記情報処理装置外へ送信し、
前記情報処理装置外から送信された所定の前記プログラムを前記通信手段で受信すること
を特徴とする請求項１に記載の画像記憶方法。
【請求項３】
前記所定の条件は、前記情報処理装置が前記プログラムを受信してから所定時間が経過したことであることを特徴とする請求項２に記載の画像記憶方法。
【請求項４】
前記情報処理装置は、更に、
前記情報処理装置の存在位置を示す位置情報を作成し、
作成した前記位置情報を、前記画像データに関連付けて前記通信手段で前記画像サーバ装置へ送信し、
前記画像サーバ装置は、更に、前記情報処理装置から受信した前記位置情報を前記画像データに関連付けて記憶すること
を特徴とする請求項１乃至３のいずれか一つに記載の画像記憶方法。
【請求項５】
前記画像サーバ装置は、更に、
受信した前記画像データの送信元である前記情報処理装置の存在位置を示す位置情報を取得し、
取得した前記位置情報を前記画像データに関連付けて記憶すること
を特徴とする請求項１乃至３のいずれか一つに記載の画像記憶方法。
【請求項６】
前記画像サーバ装置は、前記情報処理装置から前記画像データを受信した場合に、前記画像データを受信したことを示す受信確認情報を前記情報処理装置へ送信し、
前記所定の条件は、前記情報処理装置が前記受信確認情報を受信したことであることを特徴とする請求項１乃至５のいずれか一つに記載の画像記憶方法。
【請求項７】
前記情報処理装置は、
前記プログラムによる画像データの作成が禁止されている状態を解除するための解除データの送信要求を前記通信手段で前記情報処理装置外へ送信し、
前記情報処理装置外から送信された前記解除データを前記通信手段で受信し、
受信した前記解除データが前記プログラムに対応している場合に、前記プログラムに従った画像データの作成を可能にすること
を特徴とする請求項１乃至６のいずれか一つに記載の画像記憶方法。
【請求項８】
撮影手段及び通信手段を有する情報処理装置と、画像データを記憶することができる画像サーバ装置とを備える画像記憶システムにおいて、
前記情報処理装置は、
所定のプログラムを記憶する手段と、
前記プログラムに従って、前記撮影手段で撮影を行わせて画像データを作成する手段と、
撮影に係る日時を示す日時情報を作成する手段と、
前記プログラムに従って作成した画像データ及び前記日時情報を、前記プログラムに対応した所定の画像サーバ装置へ前記通信手段で送信する手段と、
前記プログラムに従って、所定の条件が満たされた場合に、前記プログラムに従った画像データの作成を禁止する手段とを有し、
前記画像サーバ装置は、前記情報処理装置から受信した前記画像データ及び前記日時情報を互いに関連付けて記憶する手段を有すること
を特徴とする画像記憶システム。
【請求項９】
撮影手段及び通信手段を有する情報処理装置に処理を実行させるプログラムにおいて、
前記情報処理装置に、前記撮影手段で撮影を行わせて画像データを作成させる手順と、  前記情報処理装置に、前記情報処理装置に作成させた画像データ及び撮影に係る日時を示す日時情報を前記通信手段で所定の外部装置へ送信することを可能にさせる手順と、
前記情報処理装置に、所定の条件が満たされた場合に、当該プログラムによる画像データの作成を禁止させる手順と
を含むことを特徴とするプログラム。
【請求項１０】
前記情報処理装置に、所定回数以内の前記画像データの作成し直しを可能にさせる手順を更に含むことを特徴とする請求項９に記載のプログラム。
【請求項１１】
前記情報処理装置に、画像データを作成する際に、透かしデータを含ませた画像データを作成させる手順を更に含むことを特徴とする請求項９又は１０に記載のプログラム。
【請求項１２】
前記情報処理装置に、前記情報処理装置外での日時に基づいて撮影に係る日時を示す日時情報を作成させる手順を更に含むことを特徴とする請求項９乃至１１のいずれか一つに記載のプログラム。
【請求項１３】
前記所定の条件は、前記情報処理装置が前記画像データを前記外部装置へ前記通信手段で送信したことであることを特徴とする請求項９乃至１２のいずれか一つに記載のプログラム。
【発明の詳細な説明】
【技術分野】
【０００１】
本発明は、携帯電話等の可搬型の情報処理装置で画像を撮影し、画像データを記憶サーバ装置で記憶する画像記憶方法、画像記憶システム、及び情報処理装置が実行するプログラムに関する。
【背景技術】
【０００２】
携帯電話又はＰＤＡ（Personal Digital Assistant）等の通信機能を備える携帯装置は、近年では、撮像素子を用いて外部を撮影した画像データを作成する撮影機能を備えたものが普及している。このような携帯装置は、撮影によって作成した画像データを、通信ネットワークに接続されたサーバ装置へ通信機能を用いて送信することができる。送信された画像データは、サーバ装置に蓄積され、通信ネットワークに接続したＰＣ等の他の装置でサーバ装置からダウンロードできる。
【０００３】
また以上の如き携帯装置には、ＧＰＳ（Global Positioning System ）を用いるか、又は最寄りの基地局の位置を利用することにより、携帯装置の位置を示す情報を作成することができるものがある。特許文献１には、撮影により作成した画像データと撮影場所を示す情報と撮影日時を示す情報とを互いに関連づけてサーバ装置に蓄積し、画像データに基づいた撮影画像を閲覧する際に撮影場所と撮影日時とを知ることができる技術が開示されている。
【０００４】
このような技術の利用方法としては、証拠写真の作成がある。例えば、業務上での訪問先で携帯装置による撮影を行い、撮影によって作成した画像データを、撮影場所を示す情報及び撮影日時を示す情報と共にサーバ装置に蓄積することによって、撮影画像を業務報告に利用することができる。また例えば物損事故が発生した場合に、事故の現場を撮影した画像データを、撮影場所を示す情報及び撮影日時を示す情報と共にサーバ装置に蓄積することによって、撮影画像を物損事故の証拠として利用することができる。
【特許文献１】特開２００４−３２３７３号公報
【発明の開示】
【発明が解決しようとする課題】
【０００５】
従来の技術では、携帯装置は、使用者の操作により撮影の指示を受け付けた場合に、撮影機能を用いて撮影を行って画像データを作成し、作成した画像データをメモリ等の内部の記憶部に記憶する。また一方で、携帯装置は、ＧＰＳ等の位置特定機能を用いて撮影場所を示す位置情報を取得し、時計機能を用いて撮影日時を示す日時情報を作成し、作成した位置情報及び日時情報を画像データに付加する。更に携帯装置は、使用者の操作により送信の指示を受け付けた場合に、通信機能を用いて画像データを送信する。このように、従来の技術では、画像データの作成、記憶及び送信の手順を個別に実行するので、画像データの内容又は場所・日時を改竄される可能性がある。例えば、従来の携帯装置では日時情報を画像データのファイル名で表現している場合があり、この場合は、他の場所・日時で撮影した画像データ又は通信ネットワークを介してダウンロードした画像データのファイル名を変更することによって、画像データ及び日時情報を改竄することが可能である。また携帯装置の時計機能が示す日時を故意にずらすことによって虚偽の日時情報を作成することも可能である。また携帯装置が画像データ、位置情報又は日時情報を編集する機能を備えている場合は、メモリに記憶している段階で、画像データ、位置情報又は日時情報の内容を変更することが可能である。従って、携帯装置を用いた前述の技術によって作成した証拠写真では、画像データ、位置情報又は日時情報の内容並びに互いの関連付けの信頼性が低いという問題がある。
【０００６】
本発明は、斯かる事情に鑑みてなされたものであって、その目的とするところは、携帯電話等の情報処理装置で作成されてサーバ装置に蓄積された画像データ及び日時情報等の内容並びに互いの関連付けの信頼性を向上させることにより、画像データが表す撮影画像の証拠写真としての信頼性を向上させることができる画像記憶方法、画像記憶システム及びプログラムを提供することにある。
【課題を解決するための手段】
【０００７】
第１発明に係る画像記憶方法は、撮影手段及び通信手段を有する情報処理装置が前記撮影手段を用いて画像データを作成し、画像データを記憶することができる画像サーバ装置へ前記情報処理装置が前記通信手段を用いて画像データを送信し、前記画像サーバ装置が画像データを記憶する画像記憶方法において、前記情報処理装置は、所定のプログラムを予め記憶し、前記プログラムに従って、前記撮影手段で撮影を行って画像データを作成し、撮影に係る日時を示す日時情報を作成し、前記プログラムに従って作成した画像データ及び前記日時情報を、前記プログラムに対応した所定の画像サーバ装置へ前記通信手段で送信し、前記プログラムに従って、所定の条件が満たされた場合に、前記プログラムに従った画像データの作成を禁止し、前記画像サーバ装置は、前記情報処理装置から受信した前記画像データ及び前記日時情報を互いに関連付けて記憶することを特徴とする。
【０００８】
第２発明に係る画像記憶方法は、前記情報処理装置は、前記プログラムを記憶していない状態で、前記プログラムの送信要求を前記通信手段で前記情報処理装置外へ送信し、前記情報処理装置外から送信された所定の前記プログラムを前記通信手段で受信することを特徴とする。
【０００９】
第３発明に係る画像記憶方法は、前記所定の条件は、前記情報処理装置が前記プログラムを受信してから所定時間が経過したことであることを特徴とする。
【００１０】
第４発明に係る画像記憶方法は、前記情報処理装置は、更に、前記情報処理装置の存在位置を示す位置情報を作成し、作成した前記位置情報を、前記画像データに関連付けて前記通信手段で前記画像サーバ装置へ送信し、前記画像サーバ装置は、更に、前記情報処理装置から受信した前記位置情報を前記画像データに関連付けて記憶することを特徴とする。
【００１１】
第５発明に係る画像記憶方法は、前記画像サーバ装置は、更に、受信した前記画像データの送信元である前記情報処理装置の存在位置を示す位置情報を取得し、取得した前記位置情報を前記画像データに関連付けて記憶することを特徴とする。
【００１２】
第６発明に係る画像記憶方法は、前記画像サーバ装置は、前記情報処理装置から前記画像データを受信した場合に、前記画像データを受信したことを示す受信確認情報を前記情報処理装置へ送信し、前記所定の条件は、前記情報処理装置が前記受信確認情報を受信したことであることを特徴とする。
【００１３】
第７発明に係る画像記憶方法は、前記情報処理装置は、前記プログラムによる画像データの作成が禁止されている状態を解除するための解除データの送信要求を前記通信手段で前記情報処理装置外へ送信し、前記情報処理装置外から送信された前記解除データを前記通信手段で受信し、受信した前記解除データが前記プログラムに対応している場合に、前記プログラムに従った画像データの作成を可能にすることを特徴とする。
【００１４】
第８発明に係る画像記憶システムは、撮影手段及び通信手段を有する情報処理装置と、画像データを記憶することができる画像サーバ装置とを備える画像記憶システムにおいて、前記情報処理装置は、所定のプログラムを記憶する手段と、前記プログラムに従って、前記撮影手段で撮影を行わせて画像データを作成する手段と、撮影に係る日時を示す日時情報を作成する手段と、前記プログラムに従って作成した画像データ及び前記日時情報を、前記プログラムに対応した所定の画像サーバ装置へ前記通信手段で送信する手段と、前記プログラムに従って、所定の条件が満たされた場合に、前記プログラムに従った画像データの作成を禁止する手段とを有し、前記画像サーバ装置は、前記情報処理装置から受信した前記画像データ及び前記日時情報を互いに関連付けて記憶する手段を有することを特徴とする。
【００１５】
第９発明に係るプログラムは、撮影手段及び通信手段を有する情報処理装置に処理を実行させるプログラムにおいて、前記情報処理装置に、前記撮影手段で撮影を行わせて画像データを作成させる手順と、前記情報処理装置に、前記情報処理装置に作成させた画像データ及び撮影に係る日時を示す日時情報を前記通信手段で所定の外部装置へ送信することを可能にさせる手順と、前記情報処理装置に、所定の条件が満たされた場合に、当該プログラムによる画像データの作成を禁止させる手順とを含むことを特徴とする。
【００１６】
第１０発明に係るプログラムは、前記情報処理装置に、所定回数以内の前記画像データの作成し直しを可能にさせる手順を更に含むことを特徴とする。
【００１７】
第１１発明に係るプログラムは、前記情報処理装置に、画像データを作成する際に、透かしデータを含ませた画像データを作成させる手順を更に含むことを特徴とする。
【００１８】
第１２発明に係るプログラムは、前記情報処理装置に、前記情報処理装置外での日時に基づいて撮影に係る日時を示す日時情報を作成させる手順を更に含むことを特徴とする。
【００１９】
第１３発明に係るプログラムは、前記所定の条件は、前記情報処理装置が前記画像データを前記外部装置へ前記通信手段で送信したことであることを特徴とする。
【００２０】
第１、第８及び第９発明においては、撮影手段及び通信手段を備える携帯電話等の情報処理装置は、所定のプログラムに従って撮影による画像データを作成し、作成した画像データ及び撮影に係る日時を示す日時情報をプログラムに対応した所定の画像サーバ装置へ送信し、画像サーバ装置は、画像データ及び日時情報を関連付けて記憶する。また情報処理装置は、所定の条件の下でプログラムに従った撮影の処理を禁止する。
【００２１】
第２発明においては、プログラムを記憶していない情報処理装置は、外部の装置から所定のプログラムをダウンロードし、ダウンロードしたプログラムに従って処理を行う。
【００２２】
第３発明においては、情報処理装置は、プログラムに従って、プログラムをダウンロードしてから所定時間が経過した場合にプログラムに従った撮影の処理を禁止する。
【００２３】
第４発明においては、情報処理装置は、情報処理装置の存在位置を示す位置情報を作成し、作成した位置情報を画像データに関連付けて画像サーバ装置へ送信し、画像サーバ装置は位置情報を画像データに関連付けて記憶する。
【００２４】
第５発明においては、画像サーバ装置は、画像サーバ装置の送信元の情報処理装置の位置を示す位置情報を取得し、取得した位置情報を画像データに関連付けて記憶する。
【００２５】
第６発明においては、画像サーバ装置は、画像データを受信した場合に受信確認情報を情報処理装置へ送信し、情報処理装置は、受信確認情報を受信した場合に、プログラムに従った撮影の処理を禁止する。
【００２６】
第７発明においては、プログラムに従った撮影の処理が禁止されている状態を解除するための解除データを情報処理装置が外部の装置からダウンロードし、解除データがプログラムに対応している場合に、情報処理装置は、プログラムに従った撮影の処理を再び可能にする。
【００２７】
第１０発明においては、情報処理装置は、プログラムに従って、所定回数以内の撮影し直しを可能にする。
【００２８】
第１１発明においては、情報処理装置は、プログラムに従って、作成する画像データにに透かしデータを含ませる。
【００２９】
第１２発明においては、情報処理装置は、プログラムに従って、日時情報を作成する際に、情報処理装置外の通信ネットワークから日時に関する情報を参照する等して、情報処理装置外の日時に基づいた日時情報を作成する。
【００３０】
第１３発明においては、情報処理装置は、プログラムに従って、画像データの送信が終了した場合にプログラムに従った撮影の処理を禁止する。
【発明の効果】
【００３１】
第１、第８及び第９発明にあっては、情報処理装置は、本発明のプログラムに従って画像データを作成し、作成した画像データ及び撮影に係る日時を示す日時情報をプログラムに対応した所定の画像サーバ装置へ送信する処理を行うことにより、画像サーバ装置に記憶されることが可能となるのはプログラムによって作成された画像データ及び撮影に係る日時情報であるので、他の方法で作成した画像データ及び日時情報を画像サーバ装置に記憶させることによる画像データの内容並びに画像データ及び日時情報の関連づけの改竄は困難である。従って、画像データが表す撮影画像を証拠写真として使用する際の信頼性が向上する。
【００３２】
第２発明にあっては、情報処理装置外の装置からダウンロードしたプログラムによって、画像データの作成と作成した画像データを所定の画像サーバ装置へ送信することとが可能になることにより、情報処理装置内で画像データを改竄することが困難であるので、画像データが表す撮影画像を証拠写真として使用する際の信頼性が向上する。
【００３３】
第３発明にあっては、プログラムのダウンロードから所定時間が経過した場合にプログラムに従った撮影の処理を禁止することによって、画像サーバ装置への送信内容を差し替えること又は時間をかけて編集することが困難となるので、撮影画像の証拠写真としての信頼性が向上する。
【００３４】
第４発明にあっては、位置情報を画像データに関連付けて画像サーバ装置が記憶するので、撮影画像に撮影位置の情報を付加した証拠写真を作成することができる。
【００３５】
第５発明にあっては、位置情報を画像サーバ装置が取得して記憶するので、位置情報の内容及び画像データの関連付けを改竄される可能性が低く、撮影画像に撮影位置の情報を付加した証拠写真の信頼性が向上する。
【００３６】
第６発明にあっては、画像サーバ装置から送信された受信確認情報を情報処理装置が受信した場合にプログラムに従った撮影の処理を禁止することによって、画像サーバ装置への送信内容を差し替えること又は時間をかけて編集することが困難となるので、撮影画像の証拠写真としての信頼性が向上する。また確実に画像データを画像サーバ装置に記憶することができる。
【００３７】
第７発明にあっては、プログラムに従った撮影の処理が禁止されている状態を解除するための解除データを情報処理装置が解除サーバ装置からダウンロードすることでプログラムに従った撮影の処理を再び可能にすることにより、画像データを作成する必要がある都度プログラムをダウンロードする必要がなく、少量の解除データをダウンロードするのみであるので、情報処理装置及び通信ネットワークの処理負担を軽減することができる。
【００３８】
第１０発明にあっては、所定回数以内の撮影し直しを許可しているので、無闇な撮影の繰り返しを制限しながら、撮影の失敗を修正できる利便性を確保することができる。
【００３９】
第１１発明にあっては、画像データに透かしデータを含ませることにより、画像データが改竄されたか否かを確認することができるので、撮影画像の証拠写真としての信頼性がより向上する。
【００４０】
第１２発明にあっては、情報処理装置外での日時に基づいて日時情報を作成することにより、情報処理装置で日時情報を改竄することが困難となるので、日時情報の信頼性が向上する。
【００４１】
第１３発明にあっては、画像データの送信が終了した場合に、プログラムに従った撮影の処理を禁止することによって、画像サーバ装置への送信内容を差し替えること又は時間をかけて編集することが困難となるので、撮影画像の証拠写真としての信頼性が向上する等、本発明は優れた効果を奏する。
【発明を実施するための最良の形態】
【００４２】
以下本発明をその実施の形態を示す図面に基づき具体的に説明する。
図１は、本発明の画像記憶システムの概要を示す概念図である。図中１は、本発明の情報処理装置の一例である携帯電話である。携帯電話１は、無線通信を用いて通信ネットワークＮに接続が可能な構成となっている。通信ネットワークＮには、携帯電話１が実行可能なプログラムを記憶するプログラムサーバ装置２、携帯電話１の認証を行う認証サーバ装置３、携帯電話１で実行が禁止されたプログラムの状態を解除するための解除データを記憶する解除サーバ装置４、及び携帯電話１が作成した画像データを記憶する画像サーバ装置５が接続されている。各サーバ装置は、通信ネットワークＮを介して携帯電話１との間で通信が可能な構成となっている。
【００４３】
携帯電話１は、ＣＣＤ（Charge Coupled Device ）等の撮影素子を用いて撮影を行う撮影手段を備えており、プログラムサーバ装置２は、携帯電話１の機種等に応じた撮影プログラム２０を記憶しており、通信ネットワークＮを介して撮影プログラム２０を携帯電話１へ送信する構成となっている。撮影プログラム２０は本発明のプログラムである。認証サーバ装置３は、本発明の画像記憶方法を実行するために登録されている携帯電話１のＩＤ番号又は電話番号等の携帯電話１を識別するための識別情報を予め記憶している。本発明の画像記憶方法を実行する際には、認証サーバ装置３は識別情報を用いて携帯電話１の認証を行う。解除サーバ装置４は、携帯電話１の機種等に応じた解除データを記憶しており、通信ネットワークＮを介して解除データを携帯電話１へ送信する構成となっている。画像サーバ装置５は、携帯電話１から通信ネットワークＮを介して送信された画像データを受信し、受信した画像データを記憶する構成となっている。画像サーバ装置５が記憶している画像データは、通信ネットワークＮに接続された図示しないＰＣ等の情報処理装置を用いて閲覧することが可能になっている。
【００４４】
図２は、携帯電話１の内部構成例を示すブロック図である。携帯電話１は、演算を行うＣＰＵ１０１と、演算に伴う一時的なデータを記憶するＲＡＭ１０２と、携帯電話１の制御プログラムを記憶するＲＯＭ１０３とを備えている。ＣＰＵ１０１は、ＲＯＭ１０３が記憶する制御プログラムに従って携帯電話１の動作の制御を行う。またＲＯＭ１０３は、携帯電話１のＩＤ番号又は電話番号等の携帯電話１を識別するための識別情報を記憶している。また携帯電話１は、液晶ディスプレイ又はＥＬ（Electroluminescence ）ディスプレイ等の表示部１０４とテンキー又はタッチパネル等の操作部１０５とを備えている。操作部１０５は、使用者の操作によって各種の指示を受け付け、表示部１０４は、携帯電話１の動作に伴って必要な情報を表示する。
【００４５】
また携帯電話１は、通信ネットワークＮに対して無線通信を用いて情報の送受信を行う通信部（通信手段）１０６を備えている。また携帯電話１は、ＧＰＳを用いて携帯電話１の位置を示す位置情報を作成するＧＰＳ処理部１０７を備えている。ＧＰＳ処理部１０７は、図示しないＧＰＳ衛星が送信するＧＰＳ信号を受信し、受信したＧＰＳ信号に基づいて位置情報を作成する処理を行う構成となっている。なお、ＧＰＳ処理部１０７は本発明の情報処理装置に必ずしも必要ではなく、携帯電話１は、後述するように、ＧＰＳ処理部１０７を備えていない構成であっても本発明の情報処理装置として機能することは可能である。
【００４６】
また携帯電話１は、レンズ、フラッシュランプ、ＣＣＤ等の撮影素子及び撮影素子の出力を処理する処理回路等からなる撮影部１０８と、撮影部１０８が生成したデータからＪＰＥＧ（Joint Photographic Experts Group）フォーマット等の画像データを作成する画像処理部１０９とを備えている。撮影部１０８は外部の光景を撮影し、画像処理部１０９は撮影部１０８が撮影した撮影画像を表す画像データを作成する構成となっている。撮影部１０８及び画像処理部１０９は本発明に係る撮影手段である。
【００４７】
更に携帯電話１は、時間を計測する時計部１１０と、半導体メモリ又は小型のハードディスク等からなる記憶部１１１とを備えている。ＣＰＵ１０１は、時計部１１０が計測する時間に基づいて日時を取得することが可能となっている。また記憶部１１１は、通信部１０６が通信ネットワークＮを介して受信したデータを記憶する構成となっており、プログラムサーバ装置２から受信した撮影プログラム２０を記憶することが可能になっている。
【００４８】
次に、本発明の画像記憶システムが行う処理を説明する。図３及び図４は、携帯電話１が作成した画像データを画像サーバ装置５に記憶する際に本発明の画像記憶システムが行う処理の手順を示すフローチャートである。
【００４９】
携帯電話１のＣＰＵ１０１は、ＲＯＭ１０３が記憶する制御プログラムに従って、使用者が操作部１０５を操作することによる、画像データを記憶する処理の開始指示の受付を監視している（Ｓ１０１）。処理の開始指示の受付がない場合は（Ｓ１０１：ＮＯ）、ＣＰＵ１０１は、処理の開始指示の受付の監視を続行する。処理の開始指示を操作部１０５で受け付けた場合は（Ｓ１０１：ＹＥＳ）、ＣＰＵ１０１は、通信部１０６に、撮影プログラム２０の送信要求及びＲＯＭ１０３が記憶している識別情報を、通信ネットワークＮを介して認証サーバ装置３へ送信させる（Ｓ１０２）。
【００５０】
認証サーバ装置３は、携帯電話１から送信された撮影プログラム２０の送信要求及び識別情報を受信し（Ｓ１０３）、受信した識別情報を予め記憶しているか否かにより、識別情報の送信元の携帯電話１が本発明の画像記憶方法を実行すべく登録されている携帯電話であるか否かを判定する（Ｓ１０４）。携帯電話１が登録されていない場合は（Ｓ１０４：ＮＯ）、認証サーバ装置３は、携帯電話１が未登録であることを示す情報を、通信ネットワークＮを介して携帯電話１へ送信する（Ｓ１０５）。
【００５１】
携帯電話１は、携帯電話１が未登録であることを示す情報を通信部１０６で受信する（Ｓ１０６）。ＣＰＵ１０１は、携帯電話１が未登録であることを表示部１０４に表示させ（Ｓ１０７）、処理を終了する。
【００５２】
ステップＳ１０４で、本発明の画像記憶方法を実行すべく携帯電話１が登録されている場合は（Ｓ１０４：ＹＥＳ）、ＣＰＵ１０１は、受信した識別情報に基づいて携帯電話１の機種名又は型番等を判別し、携帯電話１に対応する撮影プログラム２０を判定する（Ｓ１０８）。認証サーバ装置３は、次に、判定した撮影プログラム２０を携帯電話１へ送信することを指示する撮影プログラム２０の発行指示を、通信ネットワークＮを介してプログラムサーバ装置２へ送信する（Ｓ１０９）。
【００５３】
プログラムサーバ装置２は、認証サーバ装置３から送信された撮影プログラム２０の発行指示を受信し（Ｓ１１０）、記憶しているプログラムの中から、発行指示が示す携帯電話１に対応する撮影プログラム２０を選択し（Ｓ１１１）、選択した撮影プログラム２０に、プログラムサーバ装置２で計時した日時を示す情報を書き込み（Ｓ１１２）、日時を示す情報を書き込んだ撮影プログラム２０を、発行指示が示す携帯電話１へ送信する（Ｓ１１３）。
【００５４】
携帯電話１は、撮影プログラム２０を通信部１０６で受信し（Ｓ１１４）、ＣＰＵ１０１は、受信した撮影プログラム２０を記憶部１１１に記憶させる（Ｓ１１５）。ＣＰＵ１０１は、次に、撮影プログラム２０をＲＡＭ１０２へロードする（Ｓ１１６）。ＣＰＵ１０１は、撮影プログラム２０に従って、使用者が操作部１０５を操作することによる撮影指示の受付を監視する（Ｓ１１７）。撮影指示の受付がない場合は（Ｓ１１７：ＮＯ）、ＣＰＵ１０１は、撮影プログラム２０に従って、撮影プログラム２０を受信してから所定時間が経過したか否かを判定する（Ｓ１１８）。撮影プログラム２０を受信してからまだ所定時間が経過していない場合は（Ｓ１１８：ＮＯ）、ＣＰＵ１０１は、撮影プログラム２０に従って、処理をステップＳ１１７へ戻す。
【００５５】
ステップＳ１１７で撮影指示を受け付けた場合は（Ｓ１１７：ＹＥＳ）、ＣＰＵ１０１は、撮影プログラム２０に従って、撮影部１０８に携帯電話１外部の光景を撮影させ（Ｓ１１９）、撮影部１０８が撮影した撮影画像を表す画像データを画像処理部１０９に作成させる（Ｓ１２０）。なお、撮影プログラム２０は、透かしデータを予め含んでおき、画像処理装置１０９に撮影プログラム２０が含んでいる透かしデータを画像データに含ませる処理を行ってもよい。また撮影プログラム２０は、透かしデータを生成するためのアルゴリズムを含んでおき、ＣＰＵ１０１が撮影プログラム２０に従って透かしデータを生成し、生成した透かしデータを含んだ画像データを画像処理部１０９に作成させる処理を行ってもよい。ＣＰＵ１０１は、次に、撮影プログラム２０に従って、撮影プログラム２０に含まれる日時を示す情報を基準にして時計部１１０が計測した時間に基づいて、撮影に係る日時を示す日時情報を作成する（Ｓ１２１）。ＣＰＵ１０１は、次に、撮影プログラム２０に従って、作成した画像データが表す撮影画像を表示部１０４に表示させる（Ｓ１２２）。
【００５６】
ＣＰＵ１０１は、次に、撮影プログラム２０に従って、使用者が操作部１０３を操作することによる、撮影画像の撮り直し指示の受付を監視する（Ｓ１２３）。撮影画像の撮り直し指示を受け付けた場合は（Ｓ１２３：ＹＥＳ）、ＣＰＵ１０１は、撮影プログラム２０に従って、撮り直し指示を受け付けた回数が撮影プログラム２０によって予め定められている所定回数を超過しているか否かを判定する（Ｓ１２４）。撮り直し指示を受け付けた回数が所定回数を超過していない場合は（Ｓ１２４：ＮＯ）、ＣＰＵ１０１は、撮影プログラム２０に従って、処理をステップＳ１１９に戻して撮影画像を撮り直す。
【００５７】
ステップＳ１２３で撮影画像の撮り直し指示の受付がない場合（Ｓ１２３：ＮＯ）、又はステップＳ１２４で、撮り直し指示を受け付けた回数が所定回数を超過している場合は（Ｓ１２４：ＹＥＳ）、ＣＰＵ１０１は、撮影プログラム２０に従って、ＧＰＳ処理１０７に、携帯電話１の現在の位置を示す位置情報を作成させる（Ｓ１２５）。なお、ＣＰＵ１０１は後述するようにＧＰＳを用いずに位置情報を作成する処理を行ってもよい。ＣＰＵ１０１は、次に、撮影プログラム２０に従って、通信部１０６に、作成した画像データ、日時情報及び位置情報を、撮影プログラム２０によって予め定められている画像サーバ装置５へ通信ネットワークＮを介して送信させる（Ｓ１２６）。ステップＳ１２６が終了した後、又はステップＳ１１８で撮影プログラム２０を受信してから所定時間が経過した場合は（Ｓ１１８：ＹＥＳ）、ＣＰＵ１０１は、撮影プログラム２０に従って、撮影プログラム２０に従って行う撮影の処理を禁止し（Ｓ１２７）、処理を終了する。
【００５８】
画像サーバ装置５は、携帯電話１から送信された画像データ、日時情報及び位置情報を受信し（Ｓ１２８）、受信した画像データ、日時情報及び位置情報を互いに関連付けて記憶する（Ｓ１２９）。このとき画像サーバ装置５は、携帯電話１の識別情報又は日付等に対応したフォルダ名のフォルダに記憶させる。なお画像サーバ装置５は、受信した画像データが撮影プログラム２０に従った処理により送信された画像データであるか否かを判定し、撮影プログラム２０に従った処理により送信された画像データではない場合は画像データの記憶を禁止する処理を行う形態でもよい。画像サーバ装置５は以上で処理を終了する。
【００５９】
なお、以上に説明した処理では、ＧＰＳを用いて携帯電話１の位置を示す位置情報を作成する処理を行っているが、これに限るものではなく、その他の方法で位置情報を作成する処理を行ってもよい。例えば、通信部１０６が行う無線通信で利用する基地局の位置又は通信部１０６が無線通信で通信可能なエリアに係る情報の送信要求を、通信ネットワークＮに接続された図示しない所定のサーバ装置へ通信部１０６で送信し、基地局の位置又はエリアに係る情報を所定のサーバ装置が携帯電話１へ送信し、所定のサーバ装置から送信された情報を通信部１０６で受信し、受信した情報に基づいてＣＰＵ１０１で位置情報を作成する処理を行ってもよい。また携帯電話１内で位置情報を作成するのではなく、通信部１０６が行う無線通信で利用する基地局の位置に基づいて、通信ネットワークＮ上の図示しない所定のサーバ装置で携帯電話１の推定位置を示す位置情報を作成し、作成した位置情報を所定のサーバ装置が記憶サーバ装置５へ直接に送信し、所定のサーバ装置から送信された位置情報を記憶サーバ装置５が受信し、受信した位置情報を記憶サーバ装置５が記憶する処理を行ってもよい。これらの処理を行うことによって、ＧＰＳ処理部１０７を備えていない携帯電話１であっても、本発明の情報処理装置として機能することが可能となる。
【００６０】
また以上に説明した処理では、日時情報を作成する際に、プログラムサーバ装置２から受信したプログラムサーバ装置２での日時を示す情報を基準にして作成する処理を行っているが、受信した日時を示す情報を日時情報とする処理を行ってもよく、又通信ネットワークＮとの間で時刻を同期させることによって日時情報を作成する処理を行ってもよい。
【００６１】
また以上に説明した処理では、画像データを送信した後で撮影プログラム２０に従った撮影の処理を禁止する処理を行っているが、撮影プログラム２０をダウンロードしてから所定時間が経過した場合に無条件に撮影プログラム２０に従った撮影の処理を禁止する処理を行ってもよい。また携帯電話１はステップＳ１２６での画像データの送信を所定時間毎に繰り返し、画像サーバ装置５は画像データを受信した場合に送信元の携帯電話１へ受信確認情報を送信し、携帯電話１は、受信確認情報を受信した場合に撮影プログラム２０に従った撮影の処理を禁止する処理を行ってもよい。
【００６２】
以上の処理を行った後は、撮影プログラム２０に従った撮影の処理が禁止されているので、新たな画像データを記憶することはできない。画像データを記憶する処理を２度目以降に行う際には、本発明の画像記憶システムは、撮影プログラム２０に従った撮影の処理が禁止されている状態を解除する処理を行ってから画像を記憶する処理を行う。図５及び図６は、携帯電話１が２度目以降に画像データを作成して画像サーバ装置５に記憶する際に本発明の画像記憶システムが行う処理の手順を示すフローチャートである。
【００６３】
携帯電話１のＣＰＵ１０１は、ＲＯＭ１０３が記憶する制御プログラムに従って、使用者が操作部１０５を操作することによる、撮影プログラム２０の起動指示の受付を監視している（Ｓ２０１）。撮影プログラム２０の起動指示の受付がない場合は（Ｓ２０１：ＮＯ）、ＣＰＵ１０１は、撮影プログラム２０の起動指示の受付の監視を続行する。撮影プログラム２０の起動指示を操作部１０５で受け付けた場合は（Ｓ２０１：ＹＥＳ）、ＣＰＵ１０１は、記憶部１１１が記憶している撮影プログラム２０をＲＡＭ１０２へロードする（Ｓ２０２）。ＣＰＵ１０１は、ＲＡＭ１０２にロードした撮影プログラム２０に従って以降の処理を実行する。ＣＰＵ１０１は、次に、撮影プログラム２０に従った撮影の処理が禁止された状態になっているか否かを判定する（Ｓ２０３）。撮影プログラム２０に従った撮影の処理が禁止された状態ではない場合は（Ｓ２０３：ＮＯ）、本発明の画像記憶システムは、図４に示したステップＳ１１７〜Ｓ１２９の処理を実行する。
【００６４】
ステップＳ２０３で撮影プログラム２０に従った撮影の処理が禁止された状態である場合は（Ｓ２０３：ＹＥＳ）、ＣＰＵ１０１は、撮影の処理が禁止されていることを表示部１０４に表示させる（Ｓ２０４）。ＣＰＵ１０１は、次に、撮影の処理が禁止されている状態を解除するか否かの選択を促す情報を表示部１０４に表示し、使用者が操作部１０５を操作することによる、撮影の処理が禁止されている状態の解除指示の受付を監視する（Ｓ２０５）。解除指示の受付がない場合は（Ｓ２０５：ＮＯ）、ＣＰＵ１０１は処理を終了する。撮影の処理が禁止されている状態の解除指示を操作部１０５で受け付けた場合は（Ｓ２０５：ＹＥＳ）、ＣＰＵ１０１は、通信部１０６に、撮影プログラム２０に従った撮影の処理が禁止されている状態を解除するために必要な解除データの送信要求及びＲＯＭ１０３が記憶している識別情報を、認証サーバ装置３へ送信させる（Ｓ２０６）。
【００６５】
認証サーバ装置３は、解除データの送信要求及び識別情報を受信し（Ｓ２０７）、受信した識別情報を予め記憶しているか否かにより、識別情報の送信元の携帯電話１が本発明の画像記憶方法を実行すべく登録されている携帯電話であるか否かを判定する（Ｓ２０８）。携帯電話１が登録されていない場合は（Ｓ２０８：ＮＯ）、認証サーバ装置３は、携帯電話１が未登録であることを示す情報を携帯電話１へ送信する（Ｓ２０９）。携帯電話１は、携帯電話１が未登録であることを示す情報を通信部１０６で受信し（Ｓ２１０）、ＣＰＵ１０１は、携帯電話１が未登録であることを表示部１０４に表示させ（Ｓ２１１）、処理を終了する。
【００６６】
ステップＳ２０８で、本発明の画像記憶方法を実行すべく携帯電話１が登録されている場合は（Ｓ２０８：ＹＥＳ）、ＣＰＵ１０１は、受信した識別情報に基づいて携帯電話１の機種名又は型番等を判別し、携帯電話１に対応する解除データを判定する（Ｓ２１２）。認証サーバ装置３は、次に、対応する解除データを携帯電話１へ送信することを指示する解除データの発行指示を、通信ネットワークＮを介して解除サーバ装置４へ送信する（Ｓ２１３）。解除サーバ装置４は、認証サーバ装置３から送信された解除データの発行指示を受信し（Ｓ２１４）、発行指示が示す解除データ、及び解除サーバ装置４で計時した日時を示す情報を、発行指示が示す携帯電話１へ送信する（Ｓ２１５）。
【００６７】
携帯電話１は、解除サーバ装置４から送信された解除データ及び日時を示す情報を通信部１０６で受信する（Ｓ２１６）。ＣＰＵ１０１は、次に、受信した解除データが撮影プログラム２０に対応した解除データであるか否かを判定する（Ｓ２１７）。解除データが撮影プログラム２０に対応した解除データではない場合は（Ｓ２１７：ＮＯ）、ＣＰＵ１０１は、撮影プログラム２０に従った撮影の処理が禁止されている状態の解除が不可能であることを表示部１０４に表示させ（Ｓ２１８）、撮影プログラム２０に従った撮影の処理が禁止されている状態のままで処理を終了する。受信した解除データが撮影プログラム２０に対応した解除データである場合は（Ｓ２１７：ＹＥＳ）、ＣＰＵ１０１は、受信した日時を示す情報をＲＡＭ１０２にロードした撮影プログラム２０に書き込むことによって、日時を示す情報を更新し（Ｓ２１９）、撮影プログラム２０に従った撮影の処理が禁止されている状態を解除する（Ｓ２２０）。ステップＳ２２０以降では、本発明の画像記憶システムは、図４に示したステップＳ１１７〜Ｓ１２９の処理を実行する。
【００６８】
以上に説明した本発明の画像記憶方法によって、画像データが画像サーバ装置５で記憶され、画像データには日時情報及び位置情報が関連付けられている。画像サーバ装置５が記憶する画像データは、通信ネットワークＮに接続されたＰＣを用いて、所定の権限を有する使用者が閲覧することができる。画像データが表す撮影画像は、日時情報及び位置情報が関連付けられているので、証拠写真として利用することができる。
【００６９】
以上詳述した如く、本発明においては、携帯電話１がプログラムサーバ装置２から撮影プログラム２０をダウンロードし、撮影プログラム２０が携帯電話１の機能を制御し、携帯電話１は撮影プログラム２０に従って画像データを作成し、作成した画像データ及び撮影に係る日時を示す日時情報を撮影プログラム２０に対応した所定の画像サーバ装置へ送信する。これにより、画像サーバ装置５に記憶されることが可能となるのは、撮影プログラム２０によって作成された画像データとこれに対応した日時情報であるので、他の方法で作成した画像データ及び日時情報を画像サーバ装置に記憶させることによる画像データの内容並びに画像データ及び日時情報の関連づけの改竄は困難である。従って、画像データが表す撮影画像を証拠写真として使用する際の信頼性が向上する。
【００７０】
また本発明においては、撮影プログラム２０をダウンロードするときにプログラムサーバ装置２から得られた日時等の、情報処理装置外での日時に基づいて日時情報を作成するので、携帯電話２で日時情報を改竄することが困難となって、日時情報の信頼性が向上する。また画像データを作成する際に透かしデータを画像データに含ませる場合は、画像データが改竄されたか否かを確認することができるので、画像データの内容の証拠写真としての信頼性がより向上する。
【００７１】
また本発明においては、携帯電話１の位置を示す位置情報を作成し、画像データに関連付けて位置情報を画像サーバ装置５が記憶することにより、撮影画像に撮影位置の情報を付加した証拠写真を作成することができる。また携帯電話１外で作成した位置情報を画像サーバ装置５が取得する場合は、携帯電話１で位置情報を改竄することができないので、位置情報に係る信頼性が向上する。
【００７２】
また本発明においては、画像データの送信が終了した場合、撮影プログラム２０のダウンロードから所定時間が経過した場合、又は画像サーバ装置５から送信された受信確認情報を受信した場合に撮影プログラム２０に従った撮影の処理を禁止することによって、画像サーバ装置５への送信内容を差し替えること又は時間をかけて編集することが困難となるので、撮影画像の証拠写真としての信頼性が向上する。また本発明においては、所定回数以内の撮影し直しを許可しているので、無闇な撮影の繰り返しを制限しながら、撮影の失敗を修正できる利便性を確保することができる。
【００７３】
更に本発明においては、撮影プログラム２０に従った撮影の処理が禁止されている状態を解除するための解除データを携帯電話１が解除サーバ装置４からダウンロードすることによって、撮影プログラム２０の再利用が可能となる。これにより、画像データを作成する必要がある都度撮影プログラム２０をダウンロードする必要がなく、少量の解除データをダウンロードするのみであるので、携帯電話１及び通信ネットワークＮの処理負担が軽減する。
【００７４】
なお、本実施の形態においては、携帯電話１から撮影プログラム２０又は解除データの送信要求を認証サーバ装置３へ送信し、認証サーバ装置３がプログラムサーバ装置２又は解除サーバ装置４へ撮影プログラム２０又は解除データの発行指示を送信する処理を行う形態を示したが、これに限るものではなく、携帯電話１からプログラムサーバ装置２又は解除サーバ装置４へ直接に撮影プログラム２０又は解除データの発行要求を送信し、プログラムサーバ装置２又は解除サーバ装置４が認証サーバ装置３へ携帯電話１の識別情報を送信して携帯電話１を認証させる処理を行う形態であってもよい。また、プログラムサーバ装置２又は解除サーバ装置４が認証サーバ装置３の機能を備え、携帯電話１からプログラムサーバ装置２又は解除サーバ装置４へ直接に撮影プログラム２０又は解除データの発行要求を送信し、プログラムサーバ装置２又は解除サーバ装置４が携帯電話１を認証する処理を行う形態であってもよい。
【００７５】
また本実施の形態においては、本発明を実現するためにプログラムサーバ装置２、認証サーバ装置３、解除サーバ装置４及び画像サーバ装置５の四台のサーバ装置が通信ネットワークＮに接続されている形態を示したが、これに限るものではない。本発明に係る各サーバ装置の機能は他のサーバ装置が兼用することが可能であるので、本発明に係る全てのサーバ装置の機能を有している単一のサーバ装置を用いて本発明を実現する形態であってもよく、またいずれかのサーバ装置の機能を他のサーバ装置が兼用することによって四台よりも少ない数のサーバ装置を用いて本発明を実現する形態であってもよい。また本発明に係る各サーバ装置が行う処理は複数のサーバ装置で分散して実行することも可能であるので、画像サーバ装置５等のいずれかのサーバ装置の機能を複数のサーバ装置で実現することによって、四台よりも多い数のサーバ装置を用いて本発明を実現する形態であってもよい。
【００７６】
また本実施の形態においては、画像データの送信が終了した場合に撮影プログラム２０に従った処理を禁止し、解除データを受信することによって撮影プログラム２０の再利用を可能とする形態を示したが、これに限るものではなく、画像データの送信が終了した場合に撮影プログラム２０を携帯電話１から消去し、画像データを作成する必要がある都度撮影プログラム２０をダウンロードする形態であってもよい。
【００７７】
また本実施の形態においては、本発明に係る情報処理装置として携帯電話の例を示したが、情報処理装置の形態はこれに限るものではなく、撮影手段及び通信手段を備えたＰＤＡ又はノート型ＰＣ等のその他の形態であってもよい。
【図面の簡単な説明】
【００７８】
【図１】本発明の画像記憶システムの概要を示す概念図である。
【図２】携帯電話の内部構成例を示すブロック図である。
【図３】携帯電話が作成した画像データを画像サーバ装置に記憶する際に本発明の画像記憶システムが行う処理の手順を示すフローチャートである。
【図４】携帯電話が作成した画像データを画像サーバ装置に記憶する際に本発明の画像記憶システムが行う処理の手順を示すフローチャートである。
【図５】携帯電話が２度目以降に画像データを作成して画像サーバ装置に記憶する際に本発明の画像記憶システムが行う処理の手順を示すフローチャートである。
【図６】携帯電話が２度目以降に画像データを作成して画像サーバ装置に記憶する際に本発明の画像記憶システムが行う処理の手順を示すフローチャートである。
【符号の説明】
【００７９】
１  携帯電話（情報処理装置）
１０１  ＣＰＵ
１０６  通信部
１０７  ＧＰＳ処理部
１０８  撮影部（撮影手段）
１０９  画像処理部（撮影手段）
２  プログラムサーバ装置
２０  撮影プログラム（プログラム）
３  認証サーバ装置
４  解除サーバ装置
５  画像サーバ装置
【図１】
2006191503.tif 000003
【図２】
2006191503.tif 000004
【図３】
2006191503.tif 000005
【図４】
2006191503.tif 000006
【図５】
2006191503.tif 000007
【図６】
2006191503.tif 000008